(57)【要約】      （修正有）【課題】ベースアセンブリに対し回転可能なテーブル、テーブル上面に対して傾斜した切断ができるマイタ鋸のマイタ鋸用斜角ロックアセンブリを提供する。【解決手段】マイタ鋸は、ベースアセンブリ１０、ベースアセンブリに回転可能に配置される回転可能なテーブルアセンブリ１１、テーブルアセンブリによって回転可能に支持される鋸部アセンブリ２０、及びテーブルに対して鋸部アセンブリの回転位置を固定するための斜角ロックアセンブリを有する。【選択図】図１
2006306103.tif 000002
【特許請求の範囲】
【請求項１】
マイタ鋸であって、
ベースアセンブリと、
前記ベースアセンブリに回転可能に配置される回転可能なテーブルと、
前記テーブルによって回転可能に支持される鋸部アセンブリと
前記テーブルに対して前記鋸部アセンブリの回転位置を固定するための斜角止めアセンブリと、を具備しており、
前記鋸部アセンブリが、前記テーブルと回転可能に接続される支持筐体と、前記支持筐体によって支持される軸回転可能なアームと、前記アームによって支持されるモータと、前記モータによって駆動されるブレードとを包含し、
前記斜角止めアセンブリが、前記支持筐体の最上部に配置されるハンドルと、前記ハンドルに装着されるロッドとを包含し、
前記ロッドが、前記テーブルに対して前記鋸部アセンブリを固定する第一位置と、前記テーブルに対して前記鋸部アセンブリを固定しない第二位置との間で、前記ハンドルによって移動が可能である、
マイタ鋸。
【請求項２】
前記ロッドが、本体に螺合される、請求項1に記載のマイタ鋸。
【請求項３】
前記ロッドが前記第一位置にある時に、前記本体は前記テーブルと接触し、前記ロッドが前記第二位置にある時に前記本体は前記テーブルと接触しない、請求項2に記載のマイタ鋸。
【請求項４】
前記ロッドがカム表面を有する、請求項1に記載のマイタ鋸。
【請求項５】
前記ロッドが前記第一位置にある時に、前記カム表面は前記支持筐体を前記テーブルの方向に押し付け、前記ロッドが前記第二位置にある時に、前記カム表面は前記支持筐体を前記テーブルの方向に押し付けない、請求項4に記載のマイタ鋸。
【請求項６】
前記支持筐体が、前記テーブルに固定して装着されるシャフトに、回転可能に配置される、請求項5に記載のマイタ鋸。
【請求項７】
円錐形の部分が前記支持筐体に接触する、請求項6に記載のマイタ鋸。
【請求項８】
第一ナットが、前記シャフトに螺合する、請求項7に記載のマイタ鋸。
【請求項９】
カップ形ワッシャが前記シャフトに及び前記第一ナットの周囲に配置され、前記カップ形ワッシャが前記円錐形の部分に接触する、請求項8に記載のマイタ鋸。
【請求項１０】
第二ナットが前記シャフトと螺合し、前記カム表面が前記カップ形ワッシャと前記第二ナットとの間に配置される、請求項9に記載のマイタ鋸。
【請求項１１】
マイタ鋸であって、
ベースアセンブリと、
前記ベースアセンブリに回転可能に配置される回転可能なテーブルと、
前記テーブルによって回転可能に支持される鋸部アセンブリと
前記テーブルに対して前記鋸部アセンブリの回転位置を固定するための斜角止めアセンブリと、を具備しており、
前記鋸部アセンブリが、前記テーブルと回転可能に接続される支持筐体と、前記支持筐体によって支持される軸回転可能なアームと、前記アームによって支持されるモータと、前記モータによって駆動されるブレードとを包含し、
前記斜角止めアセンブリが、前記支持筐体に配置されるハンドルと、前記ハンドルによって移動が可能である部材と、前記テーブルに配置される第一プレートとを包含し、
前記第一プレートが、前記部材を受容するための第一ノッチを有し、そこで前記部材が、前記第一ノッチを係合する第一位置と、前記第一ノッチを係合しない第二位置との間を前記ハンドルによって移動が可能である、
マイタ鋸。
【請求項１２】
前記第一プレートが、前記テーブルに対して調整可能である、能請求項11に記載のマイタ鋸。
【請求項１３】
前記斜角止めアセンブリが、前記第一位置の方向に前記部材を偏向するためのバネをさらに包含する、請求項11に記載のマイタ鋸。
【請求項１４】
前記ハンドルが、前記支持筐体の最上部に配置される、請求項11に記載のマイタ鋸。
【請求項１５】
前記斜角止めアセンブリが、前記ハンドルに接続されるロッドをさらに包含し、前記ハンドルが動かされた時に、前記ロッドが前記部材に接触し、前記第二位置の方向に前記部材を移動する、請求項11に記載のマイタ鋸。
【請求項１６】
前記斜角止めアセンブリが、前記ハンドルに接続されるカムをさらに包含し、前記ハンドルが動かされた時に、前記カムが前記部材に接触し、前記第二位置の方向に前記部材を移動する、請求項11に記載のマイタ鋸。
【請求項１７】
前記斜角止めアセンブリが、前記ハンドルに接続されるリンクをさらに包含し、前記ハンドルが動かされた時に、前記リンクが前記部材に接触し、前記第二位置の方向に前記部材を移動する、請求項11に記載のマイタ鋸。
【請求項１８】
前記部材がバネに装着され、前記バネが前記支持筐体に装着される、請求項11に記載のマイタ鋸。
【請求項１９】
前記斜角止めアセンブリが、前記テーブルに配置される第二プレートをさらに包含し、前記第二プレートが、前記部材を受容するための第二ノッチを有する、請求項11に記載のマイタ鋸。
【発明の詳細な説明】
【技術分野】
【０００１】
本発明は、概ねマイタ鋸（miter saw）用斜角ロックアセンブリ（bevel lock assembly）に関し、さらに詳細には複合スライドマイタ鋸用斜角ロックアセンブリに関する。
【背景技術】
【０００２】
一般的なマイタ鋸は、ベースアセンブリ、ベースアセンブリに対し回転可能なテーブル、及びモータとモータによって駆動されるブレードを含む鋸部アセンブリを有する。鋸部アセンブリは、テーブル上面に対して傾斜した切断ができるように、テーブルにピボット的に取付けられてもよい。
【発明の開示】
【発明が解決しようとする課題】
【０００３】
このようなマイタ鋸用斜角ロックアセンブリを提供することが、本発明の目的である。
【課題を解決するための手段】
【０００４】
本発明に従って、改良されたマイタ鋸が使用される。マイタ鋸は、ベースアセンブリ、ベースアセンブリに回転可能に配置された回転テーブル、テーブルによって回転可能に支持された鋸部アセンブリ、及びテーブルに対して鋸部アセンブリの回転位置を固定するための斜角ロックアセンブリを有する。
【発明を実施するための最良の形態】
【０００５】
本発明の追加の特徴と利点とが述べられ、添付図面と以下の詳細な記述から明らかになるだろう。
【０００６】
本発明は、同一の符号が同一の部品を意味する添付図面を参照して、ここに述べられる。図1を参照して、マイタ鋸１００は、ベースアセンブリ１０、ベースアセンブリ１０によって支持されるテーブルアセンブリ１１、及びテーブルアセンブリ１１によって支持される鋸部アセンブリ２０を含んでもよい。鋸部アセンブリ２０は、テーブルアセンブリ１１と回転可能に接続される支持筐体２１、支持筐体２１とスライド可能に接続される少なくとも一つのレール２２、トラニオン２１にピボット的に装着される軸回転可能なアーム２３、アーム２３によって支持されブレード２５を駆動するモータ２４を含んでもよい。アーム２３は、好ましくはブレード２５の上部を覆う上部ブレードガード２６をまた支持してもよい。下部ブレードガード（示されていない）は、ブレード２５の下部を覆うために、上部ブレードガード２６にピボット的に装着されてもよい。
【０００７】
当業者は、示されたようなマイタ鋸１００が、スライドマイタ鋸であることを認識するだろう。しかしながら、マイタ鋸１００は、当該技術分野で周知のように、鋸アセンブリ２０の要素を取替えることによって、スライドしないマイタ鋸であってもよい。
【０００８】
図2を参照して、支持筐体２１はボルト２１Ｂを介してテーブルアセンブリ１１に接して所定の位置に保持されてもよい。支持筐体２１は、好ましくは斜角ロックアセンブリ３０を支持する。斜角ロックアセンブリ３０は、好ましくはテーブル１１のフランジ１１Ｆに接触する本体３１を含んでいる。ロッド３２は、本体３１に螺合させてもよい。ロッド３２は、好ましくは支持筐体２１の最上部を通過して出るまで、支持筐体２１を通過して伸長する。ハンドル３３Ｈは、ロッド３２に装着されてもよい。
【０００９】
代替として、ロッド３２は、本体３１によって一端で捕捉され、ハンドル３３Ｈに装着されるナット３３と螺合してもよい。当業者は、ナット３３が万一摩損した場合に、位置を変えることが可能なように、六角アダプタにすることが出来ることを認識するだろう。従って、ハンドル３３Ｈを回転することによって、本体３１は、上方に移動してフランジ１１Ｆとの接触を固着する。
【００１０】
ロッド３２の適切な配置を維持するために、好ましくは、支持筐体２１とすべって接触してロッド３２を押す、クランプ３５を用意してもよい。
【００１１】
ロッド３２は、支持筐体２１のリブに配置されるワッシャ３４を通過して伸長してもよい。ロッド３２は、支持筐体２１に締め付け力を与えるために、ワッシャ３４に接触するショルダ３２Ｓを有してもよい。
【００１２】
図3は、斜角ロックアセンブリ３０の第二実施形態を例示し、そこでは同一の符号が同一の部品を参照する。先の実施形態の教示は、参照によってここに組込まれる。
【００１３】
この実施形態において、シャフト１１Ｓは、ピン１１ＳＰを経由してテーブル１１に固定して装着されてもよい。支持筐体２１は、好ましくはコーン３６Ｃを受容する。コーン３６Ｃは、好ましくは粉末金属から作られる。
【００１４】
ワッシャ３６Ｗは、コーン３６Ｃに接してシャフト１１Ｓに配置されてもよい。ナット３６Ｎは、ナット３６Ｎとコーン３６Ｃとの間にワッシャ３６Ｗを挟んでシャフト１１Ｓに螺合してもよい。当業者は、ナット３６Ｎが好ましくは、支持筐体２１のテーブル１１からの離間を防止することを認識するだろう。
【００１５】
カップ型ワッシャ３７Ｃもまた、シャフト１１Ｓに及びナット３６Ｎの周囲に配置されてもよい。ロッド３２は、ワッシャ３７Ｃに近接して及び／又は接して配置されてもよい。ワッシャ３７Ｗは、好ましくはワッシャ３７Ｃと３７Ｗとの間にロッド３２を挟んでシャフト１１Ｓに配置される。ナット３７Ｎは、好ましくはシャフト１１Ｓにワッシャ３７Ｃを維持しながらシャフト１１Ｓと螺合される。
【００１６】
このような配置で、ユーザはハンドル３３Ｈを回転することができ、カム３２Ｃをワッシャ３７Ｃに接触させ、コーン３６Ｃ（従って支持筐体２１）を押してテーブル１１に接触固定する。当業者は、このような配置が、好ましくは支持筐体２１とテーブル１１との間の全ての遊びを除去することを理解するだろう。
【００１７】
好ましくは、ワッシャ１１Ｗは、テーブル１１と支持筐体２１との間に配置される。ワッシャ１１Ｗは、好ましくは、テーブル１１と支持体２１と（その両方がアルミニウムで作られてもよい）が、直接接触しないように真鍮で作られ、従って固着を防止する。このようなワッシャ１１Ｗはまた、固定する作用を改善するためのグリースの必要性を低減するかもしれない。
【００１８】
図4と5を参照して、斜角止め機構４０を備えるマイタ鋸１００を提供することが好ましい。斜角止め機構４０は、好ましくは部材４１を含み、部材４１は、支持筐体２１にピボット的に装着されてもよい。部材４１は、所定の斜角位置で、少なくとも一つのプレート４３（好ましくは三つのプレート４３）に配置されるノッチ４３Ｎと係合してもよい。
【００１９】
プレート４３は、フランジ１１Ｐに螺合するボルト４３Ｂを介してテーブル１１のフランジ１１Ｐに装着されてもよい。プレート４３は、ボルト４３Ｂを締付ける前にプレート４３の調節を可能にするスロット４３Ｓを有してもよい。このような調整機能は、ユーザが所定の斜角位置を微調整することを可能にする。
【００２０】
当業者は、異なる斜角が別々に調整できるように、複数の調整可能なプレート４３を有することが好ましいことを認識するだろう。例えば、0°角度のノッチ４３Ｎを有するプレート４３は、各々の角度のノッチが異なるプレート４３に配置されている限り、45°角度のノッチ４３Ｎを有するプレートに影響を及ぼすこと無しに、別々に調整することができる。
【００２１】
ロッド４２は、部材４１に接続されてもよい。ロッド４２は、ノブ４２Ｋを有してもよい。このような配置で、ユーザはノブ４２Ｋを下へ押して、ロッド４２を下方へ移動し、部材４１をノッチ４３Ｎと係合する第一位置からノッチ４３Ｎを回避する第二位置に移動させる。それからユーザは、支持筐体２１（従って鋸部アセンブリ２０の支持筐体２１）の斜角位置を変えることができる。
【００２２】
バネ４４は、第一位置の方向に部材４１を偏向するために支持筐体２１に配置されてもよい。
【００２３】
当業者は、ロッド４２が部材４１と一体化形成されてもよいことを認識するだろう。この場合に、部材４１は、支持筐体２１にピボット的に装着される必要は無く、ユーザに第一場所と第二場所との間で、ロッド４２と部材４１を共に移動することを可能にする。
【００２４】
図6と7は、斜角止めアセンブリ４０の第二実施形態を例示し、そこでは同一の符号が同一の部品を参照する。先の実施形態の教示は、ここに参照によって組込まれる。
【００２５】
第一実施形態と第二実施形態との間には、主なる三つの相違点がある。第一に、部材４１は、バネ板４１Ｓに配置されてもよく、バネ板４１Ｓは、好ましくは支持筐体２１にボルト止めされるか又は付着される。バネ板４１Ｓは、好ましくはノッチ４３Ｎを係合する第一場所の方向に部材４１を偏向する。
【００２６】
第二に、カムアセンブリ４６は、ロッド４２よりもむしろ、第一場所と第二場所との間で部材４１を移動するために使用されるかもしれない。カムアセンブリ４６は、部材４１の下部に配置されるカム４６Ｃを有してもよい。カム４６Ｃは、支持筐体２１の外側に配置されるハンドル４６Ｈに接続されてもよい。従って、ユーザは、好ましくはハンドル４６Ｈを回転し、カム４６Ｃを回転させ、ノッチ４３Ｎとの係合から部材４１を持ち上げるだろう。当業者は、カム４６Ｃが、好ましくは二つのハンドル４６Ｈに接続され、各々のハンドルが支持筐体２１の各々の側面に配置されることを認識するだろう。
【００２７】
第三に、先の実施形態と同様に、少なくとも一つのプレート４３が、ノッチ４３Ｎの調整機能を備えるためにスロット４３Ｓを有してもよい。幾つかのプレート４３は、代わりに穴を有してもよく、一方、フランジ１１Ｐはスロット１１ＰＳを有してもよい。図7に示したように、ボルト４３Ｂは、プレート４３を通過して、スロット１１ＰＳ（従ってフランジ１１Ｐ）を通過して、ワッシャ４３Ｎを通過して挿入され、ナット４３ＢＮと螺合してもよい。当業者は、このようなプレート４３が、スロット１１ＰＳに沿ってボルト４３Ｂを移動することによって調整させることができることを認識するだろう。このような調整装置は、ネジくぎ４７を回転することによって成されてもよく、ネジくぎ４７は、好ましくはフランジ１１Ｐに螺合し、ボルト４３Ｂに接触し、スロット１１ＰＳに沿ってボルト４３Ｂを押す。
【００２８】
図8は、斜角止めアセンブリ４０の第三の実施形態を例示し、そこでは同一の符号が同一の部品を参照する。先の実施形態の教示は、ここに参照によって組込まれる。
【００２９】
先の実施形態との間の主たる相違は、部材４８が、回転止めノッチ４３Ｎを係合する回転止め４８Ｄを有することである。部材４８は、好ましくはボルト４８Ｂを介して支持筐体２１に付着される。回転止め４８Ｄは、好ましくは回転止めノッチ４３Ｎにぴったりと係合する。
【００３０】
部材４８は、導管４８Ｃを有してもよく、導管４８Ｃを介してロッド４２を受容する。部材４８は、カム部分４８ＣＣを有してもよく、カム部分４８ＣＣは、ロッド４２にカム表面４２ＣＳを接触する。このような配置で、ユーザは下方にノブ４２Ｋ（従ってロッド４２）を移動することができる。カム表面４２ＣＳがカム部分４８ＣＣに接触する場合に、カム部分４８ＣＣ（従って回転止め４８Ｄ）は、支持筐体２１の方向に移動し、従って回転止めノッチ４３Ｎを開放する。
【００３１】
当業者は、回転止め４８Ｄを第一場所の方向に偏向するために、すなわち回転止めノッチ４３Ｎを係合するために、部材４８の一部が弾力性の材料、例えばバネ鋼から作られることが所望されることを認識するだろう。
【００３２】
図9は、斜角止めアセンブリ４０の第四実施形態を例示し、そこでは同一の符号が同一の部品を参照する。先の実施形態の教示は、ここに参照によって組込まれる。
【００３３】
先の実施形態との間の主たる相違は、正面から回転止めノッチ４３Ｎを係合する回転止め４８Ｄである。ユーザが下方へノブ４２Ｋ（従ってロッド４２）を移動する場合に、リンク４９は、部材４８のほうへ移動させられる。カム表面４２ＣＳが、リンク４９に接触する場合に、リンク４９は、部材４８に接触し、部材４８を移動し、（従って回転止め４８Ｄは、）支持筐体２１から離間し、従って回転止めノッチ４３Ｎを開放する。
【００３４】
当業者は、ここで開示された手段にその他の追加又は代替を認識するかもしれない。しかしながら、これらの追加及び／又は代替の全てが、本発明に相当するものとみなされる。
【図面の簡単な説明】
【００３５】
【図１】図1は、本発明に従うマイタ鋸の側面図である。
【図２】図2は、本発明に従う斜角ロックアセンブリの第一実施形態の部分断面側面図である。
【図３Ａ】図3Aは、本発明に従う斜角ロックアセンブリの第二実施形態を説明する、部分断面側面図である。
【図３Ｂ】図3Bは、本発明に従う斜角ロックアセンブリの第二実施形態を説明する、図3Aの矢視III -III に沿った部分断面図である。
【図４】図4は、本発明に従う斜角止めアセンブリの第一実施形態の側面図である。
【図５】図5は、斜角止めアセンブリの第一実施形態の部分組立分解図である。
【図６】図6は、本発明に従う斜角止めアセンブリの第二実施形態の部分断面側面図である。
【図７】図7は、斜角止めアセンブリの第二実施形態の部分組立分解図である。
【図８Ａ】図8Aは、本発明に従う斜角止めアセンブリの第三実施形態を説明する、部分正面図である。
【図８Ｂ】図8Bは、本発明に従う斜角止めアセンブリの第三実施形態を説明する、図8Aの矢視VIII-VIIIに沿った断面図である。
【図９Ａ】図9Aは、本発明に従う斜角止めアセンブリの第四実施形態を説明する、部分正面図である。
【図９Ｂ】図9Bは、本発明に従う斜角止めアセンブリの第四実施形態を説明する、図9Aの矢視IX-IXに沿った断面図である。
【符号の説明】
【００３６】
１０    ベースアセンブリ
１１    テーブルアセンブリ
２０    鋸部アセンブリ
２１    支持筐体
２５    ブレード
３０    斜角ロックアセンブリ
３２    ロッド
３３Ｈ    ハンドル
３５    クランプ
１００    マイタ鋸
【図１】
2006306103.tif 000003
【図２】
2006306103.tif 000004
【図３Ａ】
2006306103.tif 000005
【図３Ｂ】
2006306103.tif 000006
【図４】
2006306103.tif 000007
【図５】
2006306103.tif 000008
【図６】
2006306103.tif 000009
【図７】
2006306103.tif 000010
【図８Ａ】
2006306103.tif 000011
【図８Ｂ】
2006306103.tif 000012
【図９Ａ】
2006306103.tif 000013
【図９Ｂ】
2006306103.tif 000014
【外国語明細書】
2006306103000001.pdf